【事件の表示】
　特願２０１２−１５４７５４号「遊技機」拒絶査定不服審判事件〔平成２４年１０月１１日出願公開、特開２０１２−１９２２３０号〕について、次のとおり審決する。
【結　論】
　本件審判の請求は、成り立たない。
【理　由】
第１　手続の経緯
　本願は，平成１６年２月１６日に出願した特願２００４−３８５８９号の一部を平成２４年７月１０日に特願２０１２−１５４７５４号として新たな特許出願をしたものであって，平成２５年９月５日付けで拒絶の理由が通知され，平成２５年１１月８日に意見書及び手続補正書が提出されたところ，平成２６年１月３０日付けで拒絶査定がなされ，それに対して，平成２６年４月２２日に拒絶査定不服審判の請求がなされたものである。
　
第２　本願発明について
１　本願発明
　本願の特許請求の範囲の請求項１〜３に係る発明は，平成２５年１１月８日付けの手続補正により補正された特許請求の範囲の請求項１〜３に記載された事項により特定されるとおりのものであるところ，その請求項１に係る発明（以下「本願発明」という。）は，その請求項１に記載された事項により特定される，次のとおりのものと認める。なお，平成２５年１１月８日付けの手続補正では，特許請求の範囲の請求項１の記載は補正されていない。
「【請求項１】
　所定の始動信号の入力に基づき，大当たりまたははずれの抽選を行う大当たり抽選手段と，
　該大当たり抽選手段による抽選結果が大当たりである場合に，遊技者に所定の大当たり遊技を提供する大当たり遊技提供手段と，を備えた遊技機であって，
　当該遊技機による遊技の回数である遊技回数を計測する回数計測手段と，
　該回数計測手段による計測値が所定値に到達した以降，遊技者に所定の特典を提供するか否かの抽選を行う特典抽選手段と，
　該特典抽選手段による抽選結果が特典を提供する旨となった場合に，遊技者に所定の特典を提供する特典提供手段と，を備え，
　前記所定の特典とは，図柄変動遊技における所定の態様である
　ことを特徴とする遊技機。」
　
２　刊行物１に記載された発明
　原査定の拒絶の理由（平成２５年９月５日付け拒絶理由通知）に引用文献１として引用された特開２００３−１８０９９８号公報（以下「刊行物１」という。）には，図面とともに以下の事項が記載されている（下線は当審で付した。以下同じ。）。
（ａ）「【請求項１】  始動入賞口に遊技球が入賞すると，複数の図柄を変動表示する図柄変動表示装置と，
抽選用の乱数を取得して大当たりの抽選を行なう大当たり抽選手段と，
遊技者に大当たりとは別の特典を付与するために前記大当たり抽選とは別に
特典抽選を行う特典抽選手段と，
該特典抽選手段の抽選により特典付与可能な状態になったことを報知する特典報知手段と，　
該
特典抽選手段の抽選により特典付与可能な状態で，大当たりとなったとき
大当たり処理の後に，遊技者に有利な特典を付与する処理を行う
を
備えた
パチンコ遊技機
（ｂ）「【請求項４】  前記特典として，次回の大当たり抽選時に大当たりとなる確率を通常時より高く設定することを特徴とする請求項１記載のパチンコ遊技機。」
（ｃ）「【００２５】次に，上記構成のパチンコ遊技機の動作を図３，図４のフローチャートを参照して説明する。パチンコゲームの遊技中に，
遊技球が始動入賞口１３に入賞すると
始動入賞信号をＣＰＵ２０に送る
ＣＰＵ２０
大当たり抽選を行う
【００２６】次に，
ＣＰＵ２０
大当たり抽選用に取得した乱数が
大当たり用の乱数と判定した場合には，
【００２７】上記ステップ１３０で，特典付与フラグがオフの状態にあると判定したときには，ステップ１６０に進み，所定の
大当たり処理を行う
【００２８】一方，ステップ１３０で，特典付与フラグがオンにセットされていると判定した場合，次にステップ１４０に進み，
大当たり処理を行った後
特典付与処理
次回の大当たり抽選時に大当たりとなる確率を通常時より高く設定する
処理
【００２９】また，ステップ１４０または１６０の
大当たり処理
ＣＰＵ２０
大入賞口としての可変入賞装置１１を開口させ
遊技球の入賞を促進させる
【００３０】一方，ＣＰＵ２０は，
所定時間間隔で割り込み処理を行うタイマー割り込みルーチン
特典付与フラグのセット・リセット処理
ＣＰＵ２０
乱数発生器から乱数を取得して
特典付与の有無を決めるための抽選を行う
【００３１】そして，ステップ２２０にて，特典付与を行うか否かを判定し，
特典付与用の乱数が取得されて特典付与を行うと判定した場合，
【００３２】上記ステップ２３０で特典付与フラグをオンした後，次にステップ２４０に進み，
特典付与が可能な状態となったことを遊技者に知らせる
報知
を行う
図柄変動表示装置１０の表示器に特定のキャラクター
を表示してそれを報知し
（ｄ）「【００３４】特典付与可能状態は，例えば，特典付与フラグをオンしてからの経過時間（例えば１０分間），或いは始動入賞内に入賞して図柄変動表示装置１０が変動表示を行う回数が所定の回数（例えば５０回）に達したとき，終了するように設定することができる。したがって，
ＣＰＵ２０
変動表示の回数を計数し
（ｅ）「【００３７】上記では，
特典付与の抽選結果に基づく特典付与フラグのセット・リセット処理
所定時間毎に実行するタイマー割り込み処理で行った
始動入賞口へ遊技球が入賞し図柄変動表示装置の図柄が変動する回数が所定の値になったとき，
その処理を実行する
　
　上記の事項を総合すると，刊行物１には，次の発明が記載されていると認められる（以下「刊行物発明」という。）。
　「遊技球が始動入賞口１３に入賞すると始動入賞信号が送られ，抽選用の乱数を取得して大当たりの抽選を行なう大当たり抽選手段と，
　大当たり抽選用に取得した乱数が大当たり用の乱数と判定した場合には，大入賞口としての可変入賞装置１１を開口させ遊技球の入賞を促進させる大当たり処理を行う機能と，を備えたパチンコ遊技機であって，
　始動入賞口へ遊技球が入賞し図柄変動表示装置の図柄が変動する回数を計数する機能と，
　始動入賞口へ遊技球が入賞し図柄変動表示装置の図柄が変動する回数が所定の値になったとき，乱数発生器から乱数を取得して特典付与の有無を決めるための特典抽選を行う特典抽選手段と，
　特典付与用の乱数が取得されて特典付与を行うと判定した場合，図柄変動表示装置１０の表示器に特定のキャラクターを表示して，大当たりとなったときの大当たり処理の後に，次回の大当たり抽選時に大当たりとなる確率を通常時より高く設定する処理が可能な状態となったことを遊技者に知らせる報知を行う機能と，を備えた
　パチンコ遊技機」
　
３　対比
　刊行物発明と本願発明とを対比する。
　
（１）刊行物発明の「始動入賞信号」及び「大当たり抽選手段」は，それぞれ，本願発明の「始動信号」及び「大当たり抽選手段」に相当する。
　刊行物発明において，「大当たりの抽選」は，「始動入賞信号が送られ」たことに基づき行われていることは明らかである。
　以上のことから，刊行物発明の「遊技球が始動入賞口１３に入賞すると始動入賞信号が送られ，抽選用の乱数を取得して大当たりの抽選を行なう大当たり抽選手段」は，本願発明の「所定の始動信号の入力に基づき，大当たりまたははずれの抽選を行う大当たり抽選手段」に相当する。
　
（２）刊行物発明の「大当たり抽選用に取得した乱数が大当たり用の乱数と判定した場合」，「大入賞口としての可変入賞装置１１を開口させ遊技球の入賞を促進させる大当たり処理」，「大当たり処理を行う機能」及び「パチンコ遊技機」は，それぞれ，本願発明の「該大当たり抽選手段による抽選結果が大当たりである場合」，「所定の大当たり遊技」，「大当たり遊技提供手段」及び「遊技機」に相当する。
　刊行物発明において，「大当たり処理」は，遊技者に提供されることは明らかである。
　以上のことから，刊行物発明の「大当たり抽選用に取得した乱数が大当たり用の乱数と判定した場合には，大入賞口としての可変入賞装置１１を開口させ遊技球の入賞を促進させる大当たり処理を行う機能と，を備えたパチンコ遊技機」は，本願発明の「該大当たり抽選手段による抽選結果が大当たりである場合に，遊技者に所定の大当たり遊技を提供する大当たり遊技提供手段と，を備えた遊技機」に相当する。
　
（３）刊行物発明の「図柄が変動する回数を計数する機能」は，本願発明の「回数計測手段」に相当する。
　刊行物発明において，「始動入賞口へ遊技球が入賞し図柄変動表示装置の図柄が変動する回数」が，パチンコ遊技機（遊技機）による遊技の回数であることは明らかである。
　以上のことから，刊行物発明の「始動入賞口へ遊技球が入賞し図柄変動表示装置の図柄が変動する回数を計数する機能」は，本願発明の「当該遊技機による遊技の回数である遊技回数を計測する回数計測手段」に相当する。
　
（４）刊行物発明の「特典付与」は，本願発明の「特典を提供する」ことに相当し，刊行物発明の「特典付与」が，遊技者に提供されることは明らかである。
　また，刊行物発明における「（図柄が変動する回数が）所定の値になった（とき）」は，本願発明の「（該回数計測手段による計測値）が所定値に到達した（以降）」に相当する。
　以上のことから，刊行物発明の「始動入賞口へ遊技球が入賞し図柄変動表示装置の図柄が変動する回数が所定の値になったとき，乱数発生器から乱数を取得して特典付与の有無を決めるための特典抽選を行う特典抽選手段」は，本願発明の「該回数計測手段による計測値が所定値に到達した以降，遊技者に所定の特典を提供するか否かの抽選を行う特典抽選手段」に相当する。
　
（５）刊行物発明の「特典付与用の乱数が取得されて特典付与を行うと判定した場合」は，本願発明の「該特典抽選手段による抽選結果が特典を提供する旨となった場合」に相当する。
　
　平成２４年７月１７日付け上申書には，「請求項１における『前記所定の特典とは，図柄変動遊技における所定の態様である』については，出願当初明細書の段落００７１の記載にその補正の根拠があります。」と記載されている。
　本願の出願当初明細書の段落【００７１】には，上記補正の根拠は記載されていないが，平成２４年７月１７日付け手続補正書の段落【００７１】（本願の出願当初明細書の段落【００７３】）には「また，本実施形態においては，遊技回数が上限回数に到達した以降に，通常大当たりを確変大当たりに変更する（ｓ１４８→ｓ１５０→ｓ１４２）といった特典を遊技者に提供するように構成されたものを例示した。しかし，遊技回数が上限回数に到達した以降に別の特典が遊技者に提供されるように構成してもよい。例えば，遊技回数が上限回数に達した以降にのみ現れる特別な表示態様のリーチ表示（以降，「特別リーチ表示」とする）を特典として提供することが考えられる。」と記載されているから，審判請求人は，「特別リーチ表示」が「所定の特典」に相当する旨主張しているといえる。
　また，平成２４年７月１７日付け手続補正書の段落【００７５】（本願の出願当初明細書の段落【００７３】）には「このように構成すると，遊技回数が上限回数まで達した以降は，乱数ｒ１１，ｒ１２に基づく大当たりの抽選で大当たり（確変大当たりまたは通常大当たり）となった際に，乱数ｒ１４に基づいて特別リーチ表示が現れる，といった特典が遊技者に提供され得る状態となる。このような特別リーチ表示は，確変大当たり処理および通常大当たり処理においてのみ行われるものであるため，確実に大当たりとなることを遊技者に予見させるものとすることができる。そのため，特別リーチ表示によって，大当たり遊技が提供される期待感を遊技者に与えることができ，これにより，遊技に対する興趣を向上させることができる。」と記載されているから，有利な状態になることを遊技者に予見させる表示が「所定の特典」であるといえる。
　
　刊行物発明の「大当たりとなったときの大当たり処理の後に，次回の大当たり抽選時に大当たりとなる確率を通常時より高く設定する処理」は，本願発明の「所定の特典」に相当するが，審判請求人の主張を考慮すると，刊行物発明の「図柄変動表示装置１０の表示器に特定のキャラクターを表示して，大当たりとなったときの大当たり処理の後に，次回の大当たり抽選時に大当たりとなる確率を通常時より高く設定する処理が可能な状態となったことを遊技者に知らせる報知」が，本願発明の「所定の特典」に相当する。
　そして，刊行物発明の「遊技者に知らせる報知を行う機能」は，本願発明の「特典提供手段」に相当する。
　以上のことから，刊行物発明の「特典付与用の乱数が取得されて特典付与を行うと判定した場合，図柄変動表示装置１０の表示器に特定のキャラクターを表示して，大当たりとなったときの大当たり処理の後に，次回の大当たり抽選時に大当たりとなる確率を通常時より高く設定する処理が可能な状態となったことを遊技者に知らせる報知を行う機能と，を備え」は，本願発明の「該特典抽選手段による抽選結果が特典を提供する旨となった場合に，遊技者に所定の特典を提供する特典提供手段と，を備え」に相当する。
　
（６）上記（５）において既に検討した刊行物発明の「図柄変動表示装置１０の表示器に特定のキャラクターを表示して，大当たりとなったときの大当たり処理の後に，次回の大当たり抽選時に大当たりとなる確率を通常時より高く設定する処理が可能な状態となったことを遊技者に知らせる報知」は，「特定のキャラクターを表示」するから，刊行物発明の「特定のキャラクターを表示」することは，本願発明の「所定の特典」である「所定の態様」に相当する。
　以上のことから，刊行物発明の「図柄変動表示装置１０の表示器に特定のキャラクターを表示して，大当たりとなったときの大当たり処理の後に，次回の大当たり抽選時に大当たりとなる確率を通常時より高く設定する処理が可能な状態となったことを遊技者に知らせる報知」は，本願発明と「前記所定の特典とは，」「所定の態様である」点で共通している。
　
　以上のことから，本願発明と刊行物発明とは，
［一致点］
　所定の始動信号の入力に基づき，大当たりまたははずれの抽選を行う大当たり抽選手段と，
　該大当たり抽選手段による抽選結果が大当たりである場合に，遊技者に所定の大当たり遊技を提供する大当たり遊技提供手段と，を備えた遊技機であって，
　当該遊技機による遊技の回数である遊技回数を計測する回数計測手段と，
　該回数計測手段による計測値が所定値に到達した以降，遊技者に所定の特典を提供するか否かの抽選を行う特典抽選手段と，
　該特典抽選手段による抽選結果が特典を提供する旨となった場合に，遊技者に所定の特典を提供する特典提供手段と，を備え，
　前記所定の特典とは，所定の態様である
　ことを特徴とする遊技機。」
　である点で一致し，以下の点で相違している。
　
［相違点］
　「所定の態様」である「所定の特典」に関して，
　本願発明は，「前記所定の特典とは，図柄変動遊技における所定の態様である」であるのに対して，
　刊行物発明は，「特定のキャラクターを表示」すること（「所定の特典」である「所定の態様」）が行われるタイミング及び期間が不明であるため，「特定のキャラクターを表示」することが，「図柄変動遊技における」ものであるのか不明である点。
　
４　判断
［相違点］について
　遊技者に情報を知らせる報知を行う場合，報知を行うのを「図柄変動遊技」において行うようにするか，「図柄変動遊技」以外において行うようにするかは，設計的事項にすぎず，刊行物発明の「特定のキャラクターを表示」を「図柄変動遊技」において行うようにすることに何ら困難性は認められない。
　また，「図柄変動遊技」において，有利な状態になることを遊技者に予見させる表示を行うことは，特開２００３−３４００３８号公報（段落【０１００】〜【０１０１】には「予告報知ゲームが開始されると，表示画面Ｇ７で示すように，仮停止状態となった中図柄４０Ｃが表示領域の上方へ移動した後，キャラクタ５０がアイテム６０を始動記憶表示領域４１の始動記憶へ向かって投げる。・・・投げられたアイテム６０が始動記憶の要素の何れかに載れば「予告成立」となり，この場合では，３つ目の始動記憶が「大当たり」である可能性を予告報知する。」と，段落【０１０７】には「例えば，王冠のアイテム６０では信頼度＝１００％」と記載されている。段落【００９６】，【０１００】〜【０１０１】，【０１０４】〜【０１０７】，図７〜８等参照。），特開２００２−６６０２９号公報（段落【００６９】には「予兆パターンが「予兆７」であり，かつ「確変図柄」が停止表示されることが確定した場合，すなわち，必ず「確変大当たり」が発生する場合に，お妃を背に乗せて羽ばたく鷲（イーグル）および背景色が赤色に変化する「赤イーグルリーチ演出」を行うことにより，遊技者に対して必ず「確変大当たり」が発生することを告知する。」と記載されている。段落【００６６】，【００６９】，【００８０】，図２６等参照。），特開２００３−７９８８６号公報（段落【００４７】には，「この実施形態は，プレミアムリーチと呼ばれる極めて発生確率は低いが必ず大当たりになる特別なリーチが発生したときのリーチ信頼度表ＲＴＬの表示例である。このプレミアムリーチでは，リーチが発生するとリーチ信頼度表ＲＴＬが横に広がって右端に「Ｐ」の符号が点滅した表示が行われて，プレミアムリーチが発生していることを報知するようにしている。・・・リーチ信頼度表ＲＴＬの表示によってプレミアムリーチが報知されると，必ず大当たりになることが分かっているため安心してリーチ演出を楽しむことができる。」と記載されている。段落【００４７】，図８等参照。）にも記載されているように周知の技術事項である。
　したがって，刊行物発明の「特定のキャラクターを表示」を，「図柄変動遊技」において表示するようにして，相違点に係る本願発明の構成とすることは，当業者が容易になし得たことである。
　
　上記相違点によって本願発明が奏する効果は，当業者が刊行物発明に記載された事項から予測し得る程度のものであって，格別のものではない。
　
５　むすび
　以上のとおり，本願発明は，当業者が刊行物発明に基づいて容易に発明をすることができたものであるから，本願発明は，特許法２９条２項の規定により特許を受けることができない。
　したがって，その余の請求項について検討するまでもなく，本願は，拒絶されるべきものである。  
　よって，結論のとおり審決する。